(57)【要約】【課題】帽子を着用したままで日除け前端の位置を変更することができる、着脱可能な日除けを備えた日除け帽子および日除けを提供する。【解決手段】日除け帽子１は、帽子１０に日除け２０を着脱可能であり、帽子１０は、日除け２０を所定位置に取り付けるためのスナップボタン１４ａ〜１４ｄを備えており、庇内面１３が日除け２０の面ファスナー２２ａおよび２２ｂと係合できる布で構成されている。したがって、帽子１を着用したままで、庇内面１３と帽子本体１１との境１５に沿った領域を含む広い範囲で、日除け２０の前端２３ａおよび２３ｂの位置を容易に調整することができる。【選択図】  図１
0003208657.tif 000002
【実用新案登録請求の範囲】
【請求項１】
日除けを着脱可能な日除け帽子であって、
前記日除けを所定位置に取り付けるための第一の係止部と、
前記日除けの前端の位置を決めるための第二の係止部とを備えており、
前記第二の係止部が内面側の帽子本体と庇との境に沿って設けられていることを特徴とする日除け帽子。
【請求項２】
前記第二の係止部が面ファスナーまたは面ファスナーを係止可能な布である請求項１に記載の日除け帽子。
【請求項３】
前記庇の内面全体が前記面ファスナーを係止可能な布である請求項２に記載の日除け帽子。
【請求項４】
前記帽子本体の内面に、帽子本体と庇との境に沿って折り返し部を有しており、当該折り返し部の着用者の頭部に接する側の面が前記面ファスナーを係止可能な布である請求項２に記載の日除け帽子。
【請求項５】
前記第一の係止部がスナップボタンであり、帽子本体の外面または庇内面に設けられている請求項１〜４のいずれか一項に記載の日除け帽子。
【請求項６】
前記日除けは、第一の取付部と第二の取付部とを備えており、前記第二の係止部に取り付けられた前記第二の取付部は、前記第一の係止部に取り付けられた前記第一の取付部よりも、小さい力で取り外すことができる請求項１〜５のいずれか一項に記載の日除け帽子。
【請求項７】
前記第一の取付部がスナップボタンであり、前記第二の取付部が面ファスナーである請求項６に記載の日除け用帽子。
【請求項８】
前記日除けは一枚布であり、取り付けられた状態において着用者の後頭部を覆う部分に伸縮部を備えている請求項６または７に記載の日除け用帽子。
【請求項９】
前記日除けは、複数の第一の取付部と一つの第二の取付部とからなる一組の取付部を前記伸縮部の両側のそれぞれに備えている請求項８に記載の日除け帽子。
【請求項１０】
日除けを帽子に取り付ける第一の取付部と、日除けの前端の位置を調整する第二の取付部とを備えており、前記第二の取付部は、前記第一の取付部よりも、取り付けられた状態から取り外すために要する力が小さいことを特徴とする日除け。
【請求項１１】
前記第一の取付部がスナップボタンであり、前記第二の取付部が面ファスナーである、請求項１０に記載の日除け。
【請求項１２】
一枚布であり、取り付けられた状態において着用者の後頭部を覆う部分に伸縮部を備えている請求項１０または１１に記載の日除け。
【請求項１３】
前記日除けは、複数の第一の取付部と一つの第二の取付部とからなる一組の取付部を、前記伸縮部の両側のそれぞれに備えている請求項１２に記載の日除け。
【考案の詳細な説明】
【技術分野】
【０００１】
本考案は、帽子を着用したままで、日除け前端の取り付け位置を変えることができる、着脱可能な日除けを備えた日除け帽子および日除けに関する。
【背景技術】
【０００２】
従来、必要に応じて着脱可能な日差しを遮る日除けを備えた帽子が提案されている（例えば、特許文献１および２）。
特許文献１には、日除けの取り付け位置を調節することを目的として、その一辺にボタンを取り付けた日除けと、汗取り用の折り返し部に日除けのボタンよりも多い複数個のボタン孔を備えた帽子とからなる、日除けを取付可能な帽子が記載されている。
特許文献２には、後方や側面からの日差しに加えて、斜め前方からの日差しも遮ることを目的として、庇の縁に沿って日除けを取り付ける係止手段を設けた帽子が記載されている。
【先行技術文献】
【特許文献】
【０００３】
【特許文献１】特開平１０−１５８９１８号公報
【特許文献２】特開平１１−３５０２２７号公報
【考案の概要】
【考案が解決しようとする課題】
【０００４】
特許文献１に記載された帽子は、ボタンを係止する汗取り用の折り返し部のボタン孔を変更することにより日除けの取り付け位置を調節するものである。このため、日除けの位置を変更するには帽子を脱ぐ必要があり、帽子を着用したままで日除けの位置を調整することができないという問題がある。
特許文献２に記載された帽子は、日除けに取り付けた駒片を庇に取り付けたレールに沿って移動させることにより、庇の縁に沿って日除け前端の位置を微調整するものである。このため、日除け前端の移動方向は、庇に設けられたレールに沿った方向に限られており、日除け前端の位置を調整可能な範囲が狭いという問題がある。また、同文献に記載の帽子は、日除け前端の位置を微調整する機構が複雑であるという問題もある。
【０００５】
そこで、本考案は、帽子を着用したままで日除け前端の位置を変更することができる、着脱可能な日除けを備えた日除け帽子および日除けを提供することを目的としている。
【課題を解決するための手段】
【０００６】
本考案は、上記課題を解決するための手段として、以下の構成を備えている。
［１］日除けを着脱可能な日除け帽子であって、前記日除けを所定位置に取り付けるための第一の係止部と、前記日除けの前端の位置を決めるための第二の係止部とを備えており、前記第二の係止部が内面側の帽子本体と庇との境に沿って設けられている。
上記の構成により、帽子本体と庇との境に沿って日除けの前端の位置を調整することができる。庇の縁に沿って日除けの前端の位置を変化させる従来の帽子に比べて、日除けが顔の近くに位置するから、効果的に日差しを遮ることができる。ここで、「内面」とは、帽子を着用した状態において、着用者の頭部側の面をいう。同状態において、着用者の頭部の反対側の面を外面という。
【０００７】
［２］前記第二の係止部が面ファスナーまたは面ファスナーを係止可能な布である[１]に記載の日除け帽子。
上記の構成により、着用者は日除けの前端の位置を容易に調整することができる。ここで、「面ファスナーを係止可能な布」とは、面ファスナーと係合して日除けの前端を所望の位置に保持できる表面を備えた布をいい、雌雄一組の面ファスナーのうちの一方に限らず、例えば、面ファスナーのフック面を係止することができるフェルトやフェルト状の表面を備えた合成繊維の布などをいう。
【０００８】
［３］前記庇の内面全体が前記面ファスナーを係止可能な布である[２]に記載の日除け帽子。
面ファスナーを係止可能な布を用いて庇の内面全体を構成することにより、帽子を着用したままで日除け前端の位置を広い範囲で容易に調整することができる。また、庇の内面の一部にレールや面ファスナー等を設けた従来の帽子よりも少ない工程で簡単に製造できる。そして、上記従来の帽子や庇の外面に面ファスナーやスナップボタン等が設けられた帽子よりも、意匠性が良好になる。
【０００９】
［４］前記帽子本体の内面に、帽子本体と庇との境に沿って折り返し部を有しており、当該折り返し部の着用者の頭部に接する側の面が前記面ファスナーを係止可能な布である[２]に記載の日除け帽子。
折り返し部を面ファスナーを係止可能な布で構成することにより、帽子本体と庇との境に沿って広い範囲で日除けの前端の位置を調整することができる。
【００１０】
［５］前記第一の係止部がスナップボタンであり、帽子本体の外面または庇内面に設けられている［１］〜［４］のいずれか一項に記載の日除け帽子。
スナップボタンを用いることにより、帽子の所定位置に日除けをしっかりと取り付けることができる。また、帽子本体の外面または庇内面に設けることにより、帽子を着用した状態のまま、日除けを着脱することができる。
【００１１】
［６］前記日除けは、第一の取付部と第二の取付部とを備えており、前記第二の係止部に取り付けられた前記第二の取付部は、前記第一の係止部に取り付けられた前記第一の取付部よりも、小さい力で取り外すことができる［１］〜［５］のいずれか一項に記載の日除け帽子。
第二の取付部を取り外し容易な構成とすることにより、第一の取付部によって日除けが取り付けられた帽子を着用したまま、第二の取付部を取り付ける第二の係止部の位置を変更することによって日除けの前端の位置を容易に調整できる。
【００１２】
［７］前記第一の取付部がスナップボタンであり、前記第二の取付部が面ファスナーである［６］に記載の日除け用帽子。
第二の取付部を面ファスナーとすることにより、スナップボタンで日除けが取り付けられた帽子を被ったまま、第二の係止部との係合位置を帽子本体と庇との境に沿って変えて日除け前端の位置を調整することが容易になる。
【００１３】
［８］前記日除けは一枚布であり、取り付けられた状態において着用者の後頭部を覆う部分に伸縮部を備えている［６］または［７］に記載の日除け用帽子。
上記の構成によって、一枚布の日除けを種々のサイズの帽子に適合させることができる。
【００１４】
［９］前記日除けは、複数の第一の取付部と一つの第二の取付部とからなる一組の取付部を前記伸縮部の両側のそれぞれに備えている［８］に記載の日除け帽子。
【００１５】
［１０］日除けを帽子に取り付ける第一の取付部と、日除けの前端の位置を調整する第二の取付部とを備えており、前記第二の取付部は、前記第一の取付部よりも、取り付けられた状態から取り外すために要する力が小さいことを特徴とする日除け。
［１１］前記第一の取付部がスナップボタンであり、前記第二の取付部が面ファスナーである、［１０］に記載の日除け。
［１２］一枚布であり、取り付けられた状態において着用者の後頭部を覆う部分に伸縮部を備えている［１０］または［１１］に記載の日除け。
［１３］前記日除けは、複数の第一の取付部と一つの第二の取付部とからなる一組の取付部を、前記伸縮部の両側のそれぞれに備えている［１２］に記載の日除け。
【考案の効果】
【００１６】
本考案の日除け帽子は、日除けを所定位置に取り付けるための第一の係止部と、日除けの前端の位置を決めるために用いられる、帽子本体と庇との境に沿って設けられた第二の係止部とを備えているから、第二の係止部を用いて、日除けの前端の位置を調整することができる。
【図面の簡単な説明】
【００１７】
【図１】第１の実施形態の日除け帽子に日除けを取り付ける前の状態を示す斜視図
【図２】図１の日除け帽子に日除けが取り付けられた状態を示す斜視図
【図３】日除けの伸縮部の他の構成例を示す正面図
【図４】第２の実施形態の日除け帽子に日除けを取り付ける前の状態を示す斜視図
【図５】図４の日除け帽子に日除けが取り付けられた状態を示す斜視図
【考案を実施するための形態】
【００１８】
以下、本考案の実施形態について、図面を参照して説明する。
〔第１の実施形態〕
図１は本実施形態の日除け帽子に日除けを取り付ける前の状態を示す斜視図であり、図２は図１の日除け帽子に日除けが取り付けられた状態を示す斜視図である。両図はいずれも、帽子を被った状態で着用者の頭部と接する帽子本体の内面の下端（縁）側から見た状態を概略的に示している。
【００１９】
図１および図２に示すように、本実施形態の日除け帽子１は、帽子１０と帽子１０に着脱可能な日除け２０とを備えている。
帽子１０は、帽子本体１１の前面側だけに設けられた庇１２を備えたキャップである。帽子本体１１の外面には、スナップボタン（第一の係止部）１４ａ〜１４ｄが、縁に沿って設けられている。以下、スナップボタン１４ａ〜１４ｄを区別しない場合、適宜、添え字ａ〜ｄを除いてスナップボタン１４と記す。添え字を用いて区別した他の部材も同様に、各部材を区別しない場合は、適宜、添え字を除いた部材番号のみを記す。
【００２０】
スナップボタン１４ａ〜１４ｄと、日除け２０のスナップボタン（第一の取付部）２１ａ〜２１ｄとを嵌め合わせることにより、帽子１０の所定位置に日除け２０が取り付けられる。スナップボタン１４が帽子本体１１の外面に設けられているから、着用者は帽子１０を被ったままで日除け２０を帽子１０に着脱することができる。
庇１２の庇内面１３（図１に向かって下側の面）は、表面が起毛している。このため面ファスナー２２ａ、２２ｂのフック面を係止することができ、全体が第二の係止部として機能する。
【００２１】
日除け２０は、一枚布であり、帽子１０に取り付ける側の縁に沿ってスナップボタン２１ａ〜２１ｄおよび面ファスナー（第二の取付部）２２ａ〜２２ｂを備えている。スナップボタン２１により帽子１０に日除け２０が取り付けられた状態で、庇内面１３における面ファスナー２２の取り付け位置を変更して、前端２３ａおよび２３ｂの位置を調整するために用いられる。
【００２２】
スナップボタン２１ａ〜２１ｄは、所定位置に日除け２０を取り付けるものであるから、帽子１０に日除け２０が取り外されるまで、帽子１０のスナップボタン１４ａ〜１４ｄとの係合を解除する必要はない。これに対して、面ファスナー２２ａ〜２２ｂは、所定位置に取り付けられた日除け２０の前端２３ａ〜２３ｂの位置を決めるものであるから、日差しや作業状況に応じて、庇内面１３への着脱が容易な構成とすることが好ましい。
【００２３】
そこで、日除け帽子１は、スナップボタン１４とスナップボタン２１との係合よりも小さな力で簡単に取り外すことができる面ファスナー２２と庇内面１３との係合により前端２３の位置を決めている。面ファスナー２２は庇内面１３の全面に取り付けることができるから、広い範囲で容易に前端２３の位置を変更可能である。したがって、着用者は、帽子を被ったまま、庇１２の縁に沿った狭い範囲に限らず、広い範囲で帽子１０に取り付けられた日除け２０の前端２３の位置を容易に調整することができる。
【００２４】
例えば、図２に実線で示すように、面ファスナー２２ａと２２ｂとの距離が近くなる庇内面１３の位置に面ファスナー２２ａと２２ｂとを取り付けることにより、前端２３ａと２３ｂとの間隔が狭くなる。また、同図に破線で示すように、面ファスナー２２ａと２２ｂとの距離が遠くなる庇内面１３の庇１２の縁に沿った位置に面ファスナー２２ａと２２ｂとを取り付けることにより、前端２３ａと２３ｂとの間隔が広くなる。このように、庇内面１３に面ファスナー２２ａおよび２２ｂを取り付ける位置を変えることにより、日除け２０の前端２３ａと２３ｂとの位置を着用者の好みに合わせて調整することができる。なお、日差しの状況とは、紫外線の強度や照射方向や照り返しの程度などをいい、作業状況とは、作業に適した視界の広さなどをいう。
【００２５】
図１に示すように、帽子本体１１は、着用者の後頭部を覆う部分にアジャスタ１６を備えている。アジャスタ１６の長さを変更することによって、帽子本体１１のサイズを調整することができる。日除け布２０は、帽子１０に取り付けられた状態において、アジャスタ１６を覆う部分に伸縮部２４を備えている。このため、アジャスタ１６により帽子１０のサイズが変更された場合も、伸縮部２４によって、日除け２０を帽子本体１１の外面に添ってフィット（適応）させることができる。
【００２６】
図１には、伸縮部２４を日除け２０の縁に沿って形成されている縁取り（パイピング）の内部に通したゴムを伸ばした状態で両端を縫い付けて構成した例を示している。しかし、伸縮部２４の構成はこれに限られるものではない。
図３は、日除けの伸縮部の他の構成例を示す正面図である。同図に示した日除け３０は、縁取りの内部にゴムを通す代わりに、切欠き３１を形成した部分の縁に沿ってゴム３２を取り付けた構成の伸縮部３４を備えている。
【００２７】
図３に示すように、日除け３０は、伸縮部３４の両側のそれぞれに、２つのスナップボタン２１と一つの面ファスナー２２とからなる一組の取付部２７を備えている。図１、２に示す日除け２０も同様に、伸縮部３４の両側のそれぞれに、一組の取付部２７を備えている。
【００２８】
図１および図２には、帽子本体１１のスナップボタン１４と、日除け２０のスナップボタン２１とが同数である帽子１を示した。しかし、スナップボタン１４の数とスナップボタン２１の数とは同じでなくてもよい。例えば、スナップボタン１４をスナップボタン２１よりも多く設けて、スナップボタン２１と嵌め合わせるスナップボタン１４の選択により、日除け２０の取付位置が変化する構成としてもよい。
【００２９】
図１および図２に示すように、日除け２０の前端２３ａおよび２３ｂには、スナップボタン２５および２６が設けられている。帽子１０に日除け２０が取り付けられた状態において、スナップボタン２５とスナップボタン２６とを嵌め合わせれば、日除け２０により着用者の顔の下半分を覆って、日除け効果を向上させることができる。
【００３０】
本実施形態では、帽子への日除けの取付手段として雌雄のスナップボタンを用いた。しかし、スナップボタンは一例であり、他の構成を用いることもできる。スナップボタン以外の例としては、雄雌の面ファスナー、ボタンとボタン孔、ジッパーなどが挙げられる。
【００３１】
〔第２の実施形態〕
図４は本実施形態の日除け帽子に日除けを取り付ける前の状態を示す斜視図であり、図５は図４の日除け帽子に日除けが取り付けられた状態を示す斜視図である。両図はいずれも、着用された際、着用者の頭部と接する帽子本体の内面の下端（縁）側から見た状態を概略的に示している。
【００３２】
図４および図５に示すように、本実施形態の日除け帽子２は、帽子４０と日除け２０とを備えている。帽子４０は、帽子本体４１の周りが庇４２により覆われた、いわゆるハット型の帽子である点、および帽子本体４１の縁に沿って内面に汗取り用の折り返し部４６を備えている点において、第一の実施形態の日除け帽子１の帽子１０とは異なっている。帽子４０に着脱可能な日除け２０は、第一の実施形態の日除け２０と同じであるから、以下では、説明を省略する。
【００３３】
庇４２の内面４３には、スナップボタン（第一の係止部）４４ａ〜４４ｄが、帽子本体４１の縁に沿って設けられている。折り返された所定の状態で折り返し部４６の着用者の頭部に接する側の面が、日除け２０の面ファスナー２２ａおよび２２ｂを係止することができる布で構成されている。このため、折り返し部４６全体が日除け２０の前端２３の位置を調整するために用いられる第二の係止部として機能する。
【００３４】
本実施形態の日除け帽子２は、庇４２の内面４３の帽子本体４１との境４５に沿ってスナップボタン４４ａ〜４４ｄが設けられている。このため、日除け２０を着用者の顔や首の近くに位置させて、日差しを効率よく遮ることができる。また、スナップボタン４４ａ〜４４ｄとスナップボタン２１ａ〜２１ｄとによって、帽子４０の所定位置に日除け２０を取り付けた状態で、面ファスナー２２を係止する折り返し部４６の位置を変更することにより、日除け２０の前端２３の位置を変えることができる。
【００３５】
日除け帽子２は、折り返し部４６と面ファスナー２２とを一組の雌雄の面ファスナーとするではなく、折り返し部４６を面ファスナー２２と係合可能な布で構成している。折り返し部４６と面ファスナー２２との係合は、一組の雌雄の面ファスナーの係合よりも弱いから、日除け帽子２を着用したままで容易に着脱することができる。また、日除け２０は、スナップボタン４４とスナップボタン２１とによってしっかりと帽子４０の所定位置に取り付けられているから、面ファスナー２２と折り返し部４６との係合は、日除け２０の前端２３の位置を決める役割を果たしている。したがって、着用者は、日除け帽子２を着用したままで、面ファスナー２２を折り返し部４６に取り付ける位置を変化させることにより、前端２３ａおよび２３ｂの位置を庇４２の内面４３の帽子本体４１との境４５に沿って容易に調整することができる。
【００３６】
第１および第２の実施形態として説明した日除け帽子のいずれも、紫外線の状況や必要な遮光効果に対応して日除けを取り換えることができる。また、異なる日除け帽子に同じ日除けを用いることも可能である。
【産業上の利用可能性】
【００３７】
本考案は、日常生活や、農作業、造園、園芸庭造りなどの野外作業用の日除け帽子および日除けとして利用することができる。
【符号の説明】
【００３８】
１、２  日除け帽子
１０、４０  帽子
１１、４１  帽子本体
１２、４２  庇
１３  庇内面（第二の係止部、面ファスナーを係止可能な布）
４３  庇内面
１４ａ〜１４ｄ、４４ａ〜４４ｄ  スナップボタン（第一の係止部）
１５、４５  境
１６  アジャスタ
４６  折り返し部（第二の係止部、面ファスナーを係止可能な布）
２０、３０  日除け
２１ａ〜２１ｄ  スナップボタン（第一の取付部）
２２a〜２２ｂ  面ファスナー（第二の取付部）
２３ａ〜２３ｂ  前端
２４、３４  伸縮部
２７  一組の取付部
３１  切欠き
３２  ゴム
【図１】
0003208657.tif 000003
【図２】
0003208657.tif 000004
【図３】
0003208657.tif 000005
【図４】
0003208657.tif 000006
【図５】
0003208657.tif 000007